(57)【要約】      （修正有）【課題】容易に製造ができ、開口率の高い３Ｄ表示用有機ＥＬディスプレイを提供する。【解決手段】３Ｄ表示用有機ＥＬディスプレイは、基板１０１と、基板１０１上にマトリクス状に配置された複数の副画素１２０と、前記副画素１２０が配置された領域を規定するバンク１０５と、を有する。本発明の３Ｄ表示用有機ＥＬディスプレイでは、それぞれの前記副画素１２０が、前記基板１０１上に配置された画素電極Ａ、１０３Ｒおよび画素電極Ｂ、１０３Ｌと、前記バンク１０５によって規定された領域内全面に亘って配置され、前記画素電極Ａ、１０３Ｒおよび画素電極Ｂ、１０３Ｌを覆う有機機能層と、を有し、前記画素電極Ａ、１０３Ｒおよび画素電極Ｂ、１０３Ｌが、互いに対向する前記バンク１０５の間に配置される。【選択図】図３
2011103216.tif 000002
【特許請求の範囲】
【請求項１】
基板と、基板上にマトリクス状に配置された複数の副画素と、前記副画素が配置された領域を規定するバンクと、を有する有機ＥＬディスプレイであって、
それぞれの前記副画素は、前記基板上に配置された画素電極Ａおよび画素電極Ｂと、前記バンクによって規定された領域内全面に亘って配置され、前記画素電極Ａおよび画素電極Ｂを覆う有機機能層と、を有し、
前記画素電極Ａおよび画素電極Ｂは、互いに対向する前記バンクの間に配置される、有機ＥＬディスプレイ。
【請求項２】
前記基板のうち前記バンクによって規定された領域は、絶縁性の無機膜でコーティングされている、請求項１に記載の有機ＥＬディスプレイ。
【請求項３】
前記有機機能層のうち、最も前記基板側の層は絶縁性である、請求項１に記載の有機ＥＬディスプレイ。
【請求項４】
前記画素電極Ａおよび前記画素電極Ｂは、櫛型形状であり、前記櫛型形状の画素電極Ａの歯と、前記櫛型形状の画素電極Ｂの歯とが互いにかみ合っている、請求項１に記載の有機ＥＬディスプレイ。
【請求項５】
前記画素電極Ａおよび前記画素電極Ｂは、前記基板に埋め込まれ、
前記画素電極Ａおよび前記画素電極Ｂの上面の高さと、前記基板の表面の高さとは同じである、請求項１に記載の有機ＥＬディスプレイ。
【請求項６】
前記有機機能層よりも有機ＥＬディスプレイの表示面側に配置された、レンチキュラレンズをさらに有し、
３Ｄ表示機能を有する、請求項１に記載の有機ＥＬディスプレイ。
【発明の詳細な説明】
【技術分野】
【０００１】
本発明は、有機ＥＬディスプレイ、特に３Ｄ表示用有機ＥＬディスプレイに関する。
【背景技術】
【０００２】
ユーザの右目と左目とに視差を有する一組の画像を提供することで、ユーザに立体感のある映像を表示することができる３Ｄ表示用ディスプレイが実用化されている。近年は特に、特別な眼鏡を用いずに、ユーザに立体画像を提供することができる３Ｄ表示用ディスプレイの開発が注目されている。
【０００３】
特別な眼鏡等を用いずにユーザに立体画像を提供する方法には、パララックスバリア方式やレンチキュラ方式と呼ばれる方法がある。
【０００４】
パララックスバリア方式では、３Ｄ表示用ディスプレイは、短冊状のスリットを有する偏光板によって、左眼用の画像をユーザの左眼に提供し、右眼用の画像をユーザの右眼に提供する。これにより、ユーザは立体画像を観察することができる。
【０００５】
また、レンチキュラ方式とは、微細なシリンドリカルレンズを有するシート（レンチキュラレンズ）によって、左眼用の画像をユーザの左眼に提供し、右眼用の画像をユーザの右眼に提供する。これにより、ユーザは立体画像を観察することができる（例えば特許文献１参照）。
【０００６】
ところで、有機ＥＬディスプレイとは、有機化合物の電界発光を利用した有機ＥＬ素子を有するディスプレイである。有機ＥＬ素子は、画素電極および対向電極、ならびに両電極の間に配置された電界発光する有機発光層を含む。電界発光する有機発光層の材料は、低分子有機化合物の組み合わせ（ホスト材料とドーパント材料）と、高分子有機化合物とに大別されうる。電界発光する高分子有機化合物の例には、ＰＰＶと称されるポリフェニレンビニレンやその誘導体などが含まれる。
【０００７】
高分子有機化合物を含む有機発光層は、例えば、有機発光材料および溶媒を含む材料液を、インクジェットなどで画素電極上に塗布することで形成される。このように有機発光層を塗布法で形成する場合、異なる色を発光する副画素に材料液が浸入しないようにするため、異なる色を発色する副画素を絶縁性の隔壁（バンク）によって区切る。
【０００８】
有機ＥＬディスプレイは、自発光で高コントラスト、薄型、軽量および低消費電力が期待されることから、現在積極的に研究がなされている。また、有機ＥＬディスプレイは、応答速度が高いことから（約１００μｓ）、高い応答速度が求められる３Ｄ表示用ディスプレイに適している（例えば特許文献１参照）。
【０００９】
図１は特許文献１に記載されたレンチキュラ方式の３Ｄ表示機能を有する有機ＥＬディスプレイに含まれる副画素の断面図を示す。図１に示されるように特許文献１の有機ＥＬディスプレイに含まれるは副画素は、基板１と基板１上に配置された２つのＯＬＥＤ（♯１および♯３）と、基板１およびＯＬＥＤを覆う半円筒状レンズアレイ２を有する。それぞれのＯＬＥＤは、第１電極、有機発光層および第２電極を有する。図１に示されるようにそれぞれのＯＬＥＤの機能層（有機発光層や第２電極など）は独立している。
【００１０】
ＯＬＥＤ♯１は、右目用の光を発光し、ＯＬＥＤ♯３は左目用の光を発光する。このように、ＯＬＥＤ♯１およびＯＬＥＤ♯３と、半円筒状レンズアレイとの組み合わせで、ユーザの右目には右目用の画像を表示し、ユーザの左目には左目用の画像を表示することができる。これにより、右目と左目との間に視差を生じさせることが可能となり、ユーザに立体画像を提供することができる。
【先行技術文献】
【特許文献】
【００１１】
【特許文献１】特開２００８−３０４７１５号公報
【発明の概要】
【発明が解決しようとする課題】
【００１２】
しかしながら、特許文献１に記載されたように、ぞれぞれの機能層が独立した右目用ＯＬＥＤと左目用ＯＬＥＤとを１の副画素内に作製するには、極めて微細に機能層をパターニングする必要がある。このため、製造プロセスが複雑になり、不良が起こりやすい。
【００１３】
また、各ＯＬＥＤの機能層を独立させるためには、各ＯＬＥＤとの間に一定の間隔が必要になる。各ＯＬＥＤとの間の間隔は非発光領域なので、各ＯＬＥＤとの間の間隔が広がるとディスプレイの開口率が下がる。
【００１４】
本発明は、かかる点に鑑みてなされたものであり、容易に製造ができ、開口率の高い３Ｄ表示用有機ＥＬディスプレイを提供することを目的とする。
【課題を解決するための手段】
【００１５】
本発明者は、３Ｄ表示用有機ＥＬディスプレイの副画素が有する有機機能層を右目用と左目用とに分離せずとも、３Ｄ表示用有機ＥＬディスプレイが機能することを見出し、さらに検討を加えて発明を完成させた。
【００１６】
本発明は、以下に示す有機ＥＬディスプレイに関する。
［１］基板と、基板上にマトリクス状に配置された複数の副画素と、前記副画素が配置された領域を規定するバンクと、を有する有機ＥＬディスプレイであって、
それぞれの前記副画素は、前記基板上に配置された画素電極Ａおよび画素電極Ｂと、前記バンクによって規定された領域内全面に亘って配置され、前記画素電極Ａおよび画素電極Ｂを覆う有機機能層と、を有し、前記画素電極Ａおよび画素電極Ｂは、互いに対向する前記バンクの間に配置されている、有機ＥＬディスプレイ。
［２］前記基板のうち前記バンクによって規定された領域は、絶縁性の無機膜でコーティングされている、［１］に記載の有機ＥＬディスプレイ。
［３］前記有機機能層のうち、最も前記基板側の層は絶縁性である、［１］または［２］に記載の有機ＥＬディスプレイ。
［４］前記画素電極Ａおよび前記画素電極Ｂは、櫛型形状であり、前記櫛型形状の画素電極Ａの歯と、前記櫛型形状の画素電極Ｂの歯とが互いにかみ合っている、［１］〜［３］のいずれか一つに記載の有機ＥＬディスプレイ。
［５］前記画素電極Ａおよび前記画素電極Ｂは、前記基板に埋め込まれ、前記画素電極Ａおよび前記画素電極Ｂの上面の高さと、前記基板の表面の高さとは同じである、［１］〜［４］のいずれか一つに記載の有機ＥＬディスプレイ。
［６］前記有機機能層よりも有機ＥＬディスプレイの表示面側に配置された、レンチキュラレンズをさらに有し、３Ｄ表示機能を有する、［１］〜［５］のいずれか一つに記載の有機ＥＬディスプレイ。
【発明の効果】
【００１７】
本発明の３Ｄ表示用有機ＥＬディスプレイでは、各副画素が有する有機機能層が右目用と左目用とに分離していないので、簡便に作製することができる。また、本発明の３Ｄ表示用有機ＥＬディスプレイでは、各副画素が有する右目用の機能層と左目用の機能層とを分離する隔壁を必要としないので、その分発光面積が大きく開口率が高い。
【図面の簡単な説明】
【００１８】
【図１】従来の３Ｄ表示機能を有する有機ＥＬディスプレイの断面図
【図２】実施の形態１の３Ｄ表示用有機ＥＬディスプレイの斜視図
【図３】実施の形態１の３Ｄ表示用有機ＥＬディスプレイの平面図
【図４】実施の形態１の３Ｄ表示用有機ＥＬディスプレイに含まれる副画素の平面図および断面図
【図５】実施の形態１の３Ｄ表示用有機ＥＬディスプレイに含まれる副画素から発せられる光の進行方向を示す図
【図６】実施の形態２の３Ｄ表示用有機ＥＬディスプレイに含まれる副画素の平面図
【図７】実施の形態３の３Ｄ表示用有機ＥＬディスプレイに含まれる副画素の断面図
【図８】実施の形態４の３Ｄ表示用有機ＥＬディスプレイに含まれる副画素の断面図
【図９】実施の形態５の３Ｄ表示用有機ＥＬディスプレイに含まれる副画素の断面図
【図１０】実施の形態６の３Ｄ表示用有機ＥＬディスプレイの斜視図
【図１１】実施の形態６の３Ｄ表示用有機ＥＬディスプレイの平面図
【発明を実施するための形態】
【００１９】
本発明の有機ＥＬディスプレイは、基板と、基板上にマトリクス状に配置された副画素（有機ＥＬ素子）と、副画素が配置される領域を規定するバンクと、を有する。
【００２０】
［基板］
基板の材料は有機ＥＬディスプレイがボトムエミッション型か、トップエミッション型かによって異なる。例えば、ディスプレイがボトムエミッション型の場合、基板は、透明であることが求められる。したがって、ディスプレイがボトムエミッション型の場合、基板の材料の例にはガラスや石英、透明プラスチックなどが含まれる。
一方、ディスプレイがトップエミッション型の場合、基板が透明である必要はない。したがってディスプレイがトップエミッション型の場合、基板の材料は絶縁体であれば任意であり、例えば不透明プラスチックや金属などである。
【００２１】
基板の大きさおよび厚さは、製造する有機ＥＬディスプレイの大きさや基板の材料などに応じて適宜設定すればよい。また、基板には、後述する画素電極を駆動するための薄膜トランジスタ（ＴＦＴ）が内蔵されていてもよい。
【００２２】
基板上のバンクによって規定された領域には、後述する有機機能層の材料液が塗布される。このため、基板のうちバンクによって規定された領域は、有機機能層の材料液に対して親液性を有することが好ましい。基板を、有機機能層の材料液に対して親液性とすることで、有機機能層の材料液が基板によくなじみ、均一な膜厚を有する有機機能層を形成することができるからである。
【００２３】
基板のうちバンクによって規定された領域を、親液性とするには、基板のうちバンクによって規定された領域に親液性の高いシリコンオキサイドなどの絶縁性の無機物をコーティングすればよい。
【００２４】
［副画素］
「副画素」とは有機ＥＬ素子が形成される領域を意味する。副画素には、赤色の光を発する副画素、緑色の光を発する副画素および青色の光を発する副画素が含まれる。これらの３つの色（ＲＧＢ）を発する副画素が一つの画素を構成する。
【００２５】
［バンク］
バンクは、副画素が配置される領域を規定する基板上に配置された絶縁体である。バンクは、各副画素の四方を囲んでもよいし、同色光を発する副画素が一列に配列された領域を規定してもよい（図３参照）。バンクが各副画素の四方を囲む場合、有機ＥＬディスプレイは、格子状のバンクを有する。一方バンクが同色光を発する副画素が一列に配列された領域を規定する場合は、有機ＥＬディスプレイはライン状のバンクを有する。
【００２６】
バンクは、後述する有機機能層の材料液が塗布される領域を規定する。バンクの材料は、絶縁体であれば特に限定されない。バンクの材料の例には、ポリイミドなどの絶縁性樹脂が含まれる。バンクの表面は、濡れ性が低いこと（例えば、撥液性であること）が好ましい。バンクの表面の濡れ性を低くするには、例えば、バンクの材料をフッ素樹脂を含む絶縁性樹脂としたり、フッ素系ガスプラズマでバンクの表面を処理したりすればよい。
【００２７】
次に各副画素の構成について説明する。各副画素は、１）一対の画素電極（画素電極Ａおよび画素電極Ｂ）と、２）有機機能層と、３）対向電極とを有する。このように、本発明では、各副画素が２つの画素電極を有するのに対し、各副画素は一つの有機機能層および対向電極を有することを特徴とする。
【００２８】
１）画素電極Ａおよび画素電極Ｂ
画素電極は、基板上に配置された導電性部材である。画素電極は、通常陽極として機能するが、陰極として機能してもよい。また、画素電極の表面には、正孔注入層として金属酸化物からなる膜（例えば酸化タングステンや酸化モリブデンなど）が形成されていてもよい。
【００２９】
上述のように各副画素は、一対の画素電極（画素電極Ａおよび画素電極Ｂ）を有する。すなわち、一対の画素電極は、互いに対向する２つのバンクによって規定された領域内に配置される（図４Ａおよび４Ｂ参照）。画素電極Ａと画素電極Ｂとの間隔は５〜２０μｍであることが好ましい。画素電極Ａおよび画素電極Ｂの寸法は、同一であることが好ましい。画素電極Ａと画素電極Ｂとは、電気的に絶縁され、それぞれ別個の駆動ＴＦＴによって制御される。
【００３０】
ディスプレイがボトムエミッション型の場合、画素電極が透明電極であることが求められる。このような画素電極の材料の例は、ＩＴＯ（酸化インジウム・スズ）やＩＺＯ（酸化インジウム・亜鉛）、ＺｎＯ（酸化亜鉛）などを含む。
ディスプレイがトップエミッション型の場合、画素電極に光反射性が求められる。このような画素電極の材料の例は、銀を含む合金、より具体的には銀−パラジウム−銅合金（ＡＰＣとも称する）や銀−ルテニウム−金合金（ＡＲＡとも称する）、ＭｏＣｒ（モリブデンクロム）、ＮｉＣｒ（ニッケルクロム）、アルミニウム−ネオジム合金（Ａｌ−Ｎｄとも称する）などのアルミニウム系合金などを含む。また反射性の画素電極の表面には、ＩＴＯ膜およびＩＺＯ膜（Indium Zinc Oxide）が配置されていてもよい。
【００３１】
２）有機機能層
有機機能層は、画素電極上に配置された、少なくとも有機発光層を含む層である。また、本発明では、有機機能層のうち最も基板側の層が絶縁性である。
【００３２】
有機機能層は、上述したバンクによって規定された領域に有機機能層の材料液を塗布することで形成される。たとえば、有機機能層の材料液（有機機能層の材料をアニソールやシクロヘキシルベンゼンなどの有機溶媒に溶解させた溶液）を、塗布法（例えば、インクジェット法）によって塗布し、乾燥させることによって、有機機能層を形成することができる。このため、本発明では、有機機能層は副画素の配置領域を規定するバンクに囲まれた領域全面に亘って配置され、画素電極Ａおよび画素電極Ｂを覆う。したがって、本発明では、副画素は一つの有機機能層のみを有する。
【００３３】
有機機能層が有する有機発光層に含まれる有機ＥＬ材料は、副画素（有機ＥＬ素子）が発する光の色（ＲＧＢ）に応じて、副画素ごとに適宜選択される。有機ＥＬ材料は、高分子有機ＥＬ材料および低分子有機ＥＬ材料のいずれでもよいが、塗布法により形成する観点からは高分子有機ＥＬ材料が好ましい。高分子有機ＥＬ材料を用いることで、他の部材に損傷を与えることなく有機発光層を容易に形成することができるからである。高分子有機ＥＬ材料の例には、ポリフェニレンビニレンおよびその誘導体、ポリアセチレン（polyacetylene）およびその誘導体、ポリフェニレン（polyphenylene（ＰＰ））およびその誘導体、ポリパラフェニレンエチレン（polyparaphenylene ethylene）およびその誘導体、ポリ３−ヘキシルチオフェン（poly-3-hexylthiophene（Ｐ３ＨＴ））およびその誘導体、ポリフルオレン（polyfluorene（ＰＦ））およびその誘導体などが含まれる。低分子有機ＥＬ材料の例には、トリス（８−キノリノラート）アルミニウムなどが含まれる。
【００３４】
有機機能層は、有機発光層に加えて、正孔輸送層（インターレイヤ）や電子注入層、電子輸送層などを有してもよい。
【００３５】
正孔輸送層は、画素電極（または正孔注入層）と有機発光層との間に配置される。正孔輸送層は、有機発光層に正孔を効率よく運ぶ機能、および画素電極（または正孔注入層）への電子の侵入をブロックする機能を担う。正孔輸送層は、例えばポリアニリン系の材料からなる層である。正孔輸送層は、正孔輸送層の材料液（例えば、正孔輸送層の材料をアニソールやシクロベンゼンなどの有機溶媒に溶解させた溶液）を、画素電極（または正孔注入層）上に塗布することで形成されうる。正孔輸送層の厚さは、特に限定されないが、例えば１０〜４０ｎｍ程度であればよい。
【００３６】
上述したように、有機機能層のうち最も基板側の層が絶縁性である。ここで「有機機能層のうち最も基板側の層」とは、有機機能層が正孔輸送層を有する場合、正孔輸送層であり、有機機能層が正孔輸送層を有さない場合、有機発光層である。このため、有機機能層が正孔輸送層を有する場合、正孔輸送層は絶縁性である。一方、有機機能層が正孔輸送層を有さない場合、有機発光層が絶縁性である。
【００３７】
このように本発明では、副画素が有する画素電極が画素電極Ａと画素電極Ｂとにパターニングされているのに対し、有機機能層がパターニングされないため、製造プロセスが容易である。また、副画素内で有機機能層をパターニングするためのバンクが必要ないので、画素電極Ａと画素電極Ｂとの間隔を縮めることができ、開口率を高めることができる。
【００３８】
また、バンク付近では、塗布形成する有機機能層の膜厚が乱れやすいが、本発明では副画素内で有機機能層をパターニングするためのバンクを省略しているので、有機機能層の膜厚が均一になる。有機機能層の膜厚が均一になると、副画素の輝度が向上するので、本発明では、ディスプレイの輝度が高く、３Ｄの画質が高い。
【００３９】
また、上述のように有機機能層のうち最も基板側の層は絶縁性であるので、有機機能層を画素電極Ａ用と画素電極Ｂ用とにパターニングせずとも、画素電極Ａと画素電極Ｂとの間でクロストークが生じる恐れがない。
【００４０】
３）対向電極
対向電極は、有機機能層上に配置される導電性部材である。対向電極は通常陰極として機能するが、陽極として機能してもよい。複数の副画素が、１つの対向電極を共有してもよい。例えば、１枚のパネルに含まれるすべての副画素が、１つの対向電極を共有していてもよい。
【００４１】
対向電極の材料は、ディスプレイがボトムエミッション型か、トップエミッション型かによってその材料が異なる。トップエミッション型の場合には、対向電極が透明である必要があるので、対向電極の材料の例には、透過率が８０％以上の導電性部材を用いることが好ましい。これにより、発光効率が高いディスプレイを得ることができる。
【００４２】
このような透明陰極は、アルカリ土類金属を含む層と、電子輸送性の有機材料かならなる層と、金属酸化物層とから構成されてもよい。アルカリ土類金属の例には、マグネシウム、カルシウムおよびバリウムなどが含まれる。電子輸送性の有機材料は、例えば電子輸送性の有機半導体材料である。金属酸化物は、特に限定されないが、例えば、インジウム錫酸化物あるいはインジウム亜鉛酸化物である。
【００４３】
また、透明陰極は、アルカリ金属、アルカリ土類金属またはそれらのハロゲン化物を含む層と銀を含む層とから構成されてもよい。銀を含む層は、銀のみから構成されてもよいし、銀合金から構成されてもよい。また、銀を含む層上に透明度が高い屈折率調整層を設けてもよい。屈折率調整層を設けることで光取り出し効率を向上させることができる。
【００４４】
対向電極上には、さらに封止膜が配置されていてもよい。封止膜は、有機機能層や画素電極などを、水分や熱、衝撃などから保護する機能を担う。封止膜の材料の例には、窒化シリコンや酸化窒化シリコンなどが含まれる。
【００４５】
本発明の有機ＥＬディスプレイは、視差分割方式を利用した３Ｄ表示用有機ＥＬディスプレイとして機能することができる。本発明の３Ｄ表示用有機ＥＬディスプレイは、レンチキュラ方式であっても、パララックスバリア方式であってもよいが、パララックスバリア方式では画像が暗くなるので、レンチキュラ方式の方が好ましい。
【００４６】
レンチキュラ方式とは、複数の互いに平行なシリンドリカルレンズを有するレンチキュラレンズによって、ユーザの右目と左目とに異なる映像を表示し、ユーザに立体画像を表示する方式である（実施の形態１参照）。
【００４７】
パララックスバリア方式とは、細かいスリットを有するパララックスバリアによって、ユーザの右目と左目とに異なる映像を表示し、ユーザに立体画像を表示する方式である。パララックスバリア方式では、ディスプレイから発せられた右目用の光は、パララックスバリアのスリットを通って、右目に入射し；ディスプレイから発せられた左目用の光は、パララックスバリアのスリットを通って、左目に入射する。一方、ディスプレイから発せられた右目用の光は、左目に入射しないように、バリアによってブロックされ；ディスプレイから発せられた左目用の光は、右目に入射しないように、バリアによってブロックされる。
【００４８】
このため、本発明の有機ＥＬディスプレイは、レンチキュラレンズやパララックスバリアを有していてもよい。レンチキュラレンズやパララックスバリアは、有機機能層よりもディスプレイの表示面側に配置される。
具体的には、トップエミッション型のディスプレイの場合、光は封止膜側から取り出されるので、レンチキュラレンズやパララックスバリアは、封止膜上に配置される。一方、ボトムエミッション型のディスプレイの場合、光は基板側から取り出されるので、レンチキュラレンズやパララックスバリアは、基板の画素電極が形成された面の裏面に配置される。
また、本発明の特定の実施の形態によれば、レンチキュラレンズやパララックスバリアを設けなくとも、３Ｄ画像を表示することができる（実施の形態５参照）。
【００４９】
本発明の３Ｄ表示用有機ＥＬディスプレイでは、一対の画素電極の一方が右目用画像を表示するために機能し（右目用画素電極）、他方が左目用画像を表示するために機能する（左目用画素電極）。以下、画素電極Ａを右目用画素電極とも称し、画素電極Ｂを左目用画素電極とも称する。
【００５０】
本発明の３Ｄ表示用有機ＥＬディスプレイでは、有機発光層のうち右目用画素電極上の領域は、３Ｄ表示用ディスプレイのユーザの右目に観察される光を発し、有機発光層のうち左目用画素電極上の領域は、３Ｄ表示用ディスプレイのユーザの左目に観察される光を発する（図５参照）。
【００５１】
このように本発明では、有機機能層を右目用と左目用とにパターニングしないため、製造プロセスが容易である。また、有機機能層を右目用と左目用とにパターニングするためのバンクが必要ないので、画素電極Ａと画素電極Ｂとの間隔を縮めることができ、開口率を高めることができる。
【００５２】
以下、本発明の製造方法の実施の形態を図面を参照して説明するが、本発明はこれらの実施の形態により限定されない。
【００５３】
（実施の形態１）
実施の形態１では、ライン状バンクを有するレンチキュラ方式の３Ｄ表示用有機ＥＬディスプレイについて説明する。また実施の形態１では、ディスプレイはトップエミッション型である。
【００５４】
図２は実施の形態１の３Ｄ表示用有機ＥＬディスプレイ１００の斜視図である。図２に示されたように、有機ＥＬディスプレイ１００は、基板１０１、対向電極１０９、レンチキュラレンズ１１０を有する。基板１０１上には、副画素１２０がマトリクス状に配置されている。本実施の形態では、レンチキュラレンズに含まれるシリンドリカルレンズ１１１の長軸は、後述する、ライン状のバンクの長軸と平行である。また、シリンドリカルレンズ１１１が配置されるピッチと、副画素が配置されるピッチとは、同一であることが好ましい。
【００５５】
図３はレンチキュラレンズ１１０、対向電極１０９および有機機能層を省略した実施の形態１の３Ｄ表示用有機ＥＬディスプレイ１００の平面図である。図３に示されるように実施の形態１の有機ＥＬディスプレイ１００は、基板１０１上に配置されたライン状バンク１０５を有する。
【００５６】
ライン状バンク１０５によって規定された領域内には、複数の同色の光を発する副画素１２０が一列に配列されている。副画素１２０Ｒは、赤色の光を発光する副画素であり；副画素１２０Ｇは、緑色の光を発光する副画素であり；副画素１２０Ｂは、青色の光を発光する副画素である。
【００５７】
図４Ａは、図３に示された副画素１２０の拡大図である。また、図４Ｂは、図４Ａに示された副画素１２０のＡＡ線による断面図である。図４Ａでは、有機機能層、対向電極およびレンチキュラレンズを省略するが、図４Ｂでは、有機機能層、陰極およびレンチキュラレンズを省略しない。図４ＡおよびＢに示されるように、副画素１２０は一対の画素電極（右目用画素電極１０３Ｒおよび左目用画素電極１０３Ｌ）を有する。右目用画素電極１０３Ｒ（画素電極Ａ）および左目用画素電極１０３Ｌ（画素電極Ｂ）は、互いに対向する２つのバンク１０５の間に配置される。また、副画素１２０は、バンク１０５によって規定された領域全面に亘って配置された有機機能層１０７、有機機能層１０７上に配置された対向電極１０９、対向電極１０９上に配置されたレンチキュラレンズ１１０を有する。
【００５８】
このように、実施の形態１の有機ＥＬディスプレイでは、各副画素が２つの画素電極（右目用画素電極および左目用画素電極）を有するのに対し、有機機能層は、左目用と右目用とにパターニングされていない。
このため簡便に有機機能層を形成することができ、製造プロセスが容易である。また、有機機能層を右目用と左目用とにパターニングするためのバンクが必要ないので、右目用画素電極と左目用画素電極との間隔を縮めることができ、開口率を高めることができる。
【００５９】
次に実施の形態１の３Ｄ表示用有機ＥＬディスプレイの動作原理を説明する。
【００６０】
図５は、副画素１２０が発する光の軌道を示す図である。破線Ｘは、有機機能層１０７のうち、左目用画素電極１０３Ｌ上の領域から発せられた光の方向を示し、実線Ｙは、有機機能層１０７のうち、右目用画素電極１０３Ｒ上の領域から発せられた光の方向を示す。
【００６１】
図５に示されるように、左目用画素電極１０３Ｌから発せられた光は、レンチキュラレンズ１１０によって曲げられ、ユーザの左目Ｌに入射する。一方、右目用画素電極１０３Ｒから発せられた光は、レンチキュラレンズ１１０によって曲げられ、ユーザの右目Ｒに入射する。
【００６２】
このように、左目用画素電極１０３Ｌおよび右目用画素電極１０３Ｒと、レンチキュラレンズ１１０との組み合わせで、ユーザの右目には右目用の画像を表示し、ユーザの左目には左目用の画像を表示することができる。これにより、右目と左目との間に視差を生じさせることができ、ユーザに立体画像を表示することができる。
【００６３】
（実施の形態２）
実施の形態２では右目用画素電極および左目用画素電極の形状が櫛型形状である形態について説明する。
【００６４】
図６は、実施の形態２の３Ｄ表示用有機ＥＬディスプレイに含まれる副画素２２０の平面図を示す。図６に示されるように実施の形態２の副画素２２０は、画素電極の形状が異なる以外は、実施の形態１の副画素１２０と同じである。したがって、実施の形態１の副画素と同一の構成部材については、同一の符号を付し説明を省略する。
【００６５】
図６に示されるように副画素２２０は、櫛形形状の右目用画素電極２０３Ｒおよび左目用画素電極２０３Ｌを有する。また、櫛型形状の右目用画素電極２０３Ｒの歯２０４Ｒと、櫛型形状の左目用画素電極２０３Ｌの歯２０４Ｌとが、互いにかみ合っている。
【００６６】
実施の形態１に記載したようなディスプレイでは、画素電極と基板と表面の高低差による段差によって有機機能層の膜厚の乱れが生じる恐れがある。有機機能層の膜厚の乱れは、輝度の乱れにも繋がる。このため画素電極に輪郭に沿って輝度の乱れが生じる恐れがある。しかし、本実施の形態のように右目用画素電極および左目用画素電極の形状を櫛型形状とすれば、画素電極に輪郭に沿った輝度の乱れが目立ち難くなる。
【００６７】
また、櫛型形状の右目用画素電極の歯と櫛型形状の左目用画素電極の歯とをかみ合わせることで、右目用画素電極と左目用画素電極との間隔を縮めることができ、よりディスプレイの開口率を高めることができる。
【００６８】
このため、本実施の形態によれば、実施の形態１の効果に加えて輝度ムラがなく開口率の高い３Ｄ表示用有機ＥＬディスプレイを提供することができる。
【００６９】
（実施の形態３）
実施の形態３では画素電極の断面が順テーパ状である形態について説明する。
【００７０】
図７は、実施の形態３の３Ｄ表示用有機ＥＬディスプレイに含まれる副画素３２０の断面図を示す。図７に示されるように実施の形態３の副画素３２０は、画素電極の断面形状が異なる以外は、実施の形態１の副画素１２０と同じである。したがって、実施の形態１の副画素と同一の構成部材については、同一の符号を付し説明を省略する。
【００７１】
図７に示されるように副画素３２０は、順テーパ状の右目用画素電極３０３Ｒおよび順テーパ状の左目用画素電極３０３Ｌを有する。
【００７２】
このように、右目用画素電極３０３Ｒおよび左目用画素電極３０３Ｌを順テーパ状とすることで、画素電極表面と基板表面との高低差に基づく段差を軽減することができる。これにより、有機機能層が塗布される領域をより滑らかすることができ、均一な膜厚を有する有機機能層が得られる。
したがって、本実施の形態によれば、実施の形態１の効果に加えて、輝度ムラのない３Ｄ表示用有機ＥＬディスプレイを提供することができる。
【００７３】
（実施の形態４）
実施の形態４では右目用画素電極および左目用画素電極が基板に埋め込まれた形態について説明する。
【００７４】
図８は、実施の形態４の３Ｄ表示用有機ＥＬディスプレイに含まれる副画素４２０の断面図を示す。図８に示されるように実施の形態４の副画素４２０は、画素電極が基板に埋め込まれている以外は、実施の形態１の副画素１２０と同じである。したがって、実施の形態１の副画素と同一の構成部材については、同一の符号を付し説明を省略する。
【００７５】
図８に示されるように副画素４２０は、基板１０１に埋め込まれた右目用画素電極４０３Ｒおよび左目用画素電極４０３Ｌを有する。右目用画素電極４０３Ｒおよび左目用画素電極４０３Ｌの表面の高さと、基板１０１の表面の高さとは同じである。このような基板１０１に埋め込まれた右目用画素電極４０３Ｒおよび左目用画素電極４０３Ｌを作製するには、基板１０１上に画素電極を作成した後、基板１０１を熱ロールでプレスすればよい。また、画素電極の形成前に基板１０１表面に画素電極の厚さと同じ深さを有する凹部を形成し、この凹部内に画素電極を形成することで、本実施の形態のような基板に埋め込まれた画素電極を作製することもできる。
【００７６】
このように、右目用画素電極４０３Ｒおよび左目用画素電極４０３Ｌの表面の高さと、基板１０１の表面の高さとを同じにすることで、画素電極表面と基板表面との高低差に基づく段差がなくなり、有機機能層が塗布される領域を平坦にすることができる。このため、均一な膜厚を有する有機機能層が得られる。
したがって、本実施の形態によれば、実施の形態１の効果に加えて、輝度ムラのない３Ｄ表示用有機ＥＬディスプレイを提供することができる。
【００７７】
（実施の形態５）
実施の形態５では、レンチキュラレンズおよびパララックスバリアを用いない３Ｄ表示用有機ＥＬディスプレイについて説明する。
【００７８】
図９は、実施の形態５の３Ｄ表示用有機ＥＬディスプレイに含まれる副画素５２０の断面図を示す。図９に示されるように実施の形態２の副画素５２０は、基板の形状が異なる以外は、実施の形態１の副画素１２０と同じである。したがって、実施の形態１の副画素と同一の構成部材については、同一の符号を付し説明を省略する。
【００７９】
図９に示されるように副画素５２０は、凹曲部５０２を有する基板５０１を有する。凹曲部５０２には、右目用画素電極５０３Ｒおよび左目用画素電極５０３Ｌが配置される。また破線Ｘは、左目用画素電極５０３Ｌから発せられた光の方向を示し、実線Ｙは、有機機能層１０７のうち、右目用画素電極５０３Ｒから発せられた光の方向を示す。
【００８０】
図９に示されるように、左目用画素電極５０３Ｌから発せられた光は、凹曲部５０２によって方向が制御され、ユーザの左目に入射する。一方、右目用画素電極５０３Ｒから発せられた光は、凹曲部５０２によって方向が制御され、ユーザの右目に入射し入射する。
このように、基板５０１に凹曲部５０２を形成することで、レンチキュラレンズやパララックスバリアを用いずとも、ユーザの右目と左目との間に視差を生じさせ、ユーザに立体画像を表示することができる。
【００８１】
（実施の形態６）
実施の形態１では、画素電極の長軸と、ライン状のバンクの長軸とが平行である例について説明した。実施の形態６では、画素電極の長軸と、ライン状のバンクの長軸とが、直交する例について説明する。
【００８２】
図１０は実施の形態６の３Ｄ表示用有機ＥＬディスプレイ６００の斜視図である。実施の形態１の副画素と同一の構成部材については、同一の符号を付し説明を省略する。基板１０１上には、副画素６２０がマトリクス状に配置されている。本実施の形態では、レンチキュラレンズに含まれるシリンドリカルレンズ１１１の長軸は、後述するライン状のバンク１０５の長軸と直交する。
【００８３】
図１１はレンチキュラレンズ、対向電極および有機機能層を省略した実施の形態６の３Ｄ表示用有機ＥＬディスプレイ６００の平面図である。図１１に示されるように、ライン状バンク１０５によって規定された領域内には、複数の同色の光を発する副画素６２０が一列に配列されている。副画素６２０Ｒは、赤色の光を発光する副画素であり；副画素６２０Ｇは、緑色の光を発光する副画素であり；副画素６２０Ｂは、青色の光を発光する副画素である。このように、本実施の形態では、副画素６２０Ｒ、副画素６２０Ｇおよび副画素６２０Ｂからなる画素はディスプレイの上下方向に長くなり、ディスプレイの横方向に短くなる。
【００８４】
副画素６２０は右目用画素電極６０３Ｒおよび左目用画素電極６０３Ｌを有する。右目用画素電極６０３Ｒおよび左目用画素電極６０３Ｌの長軸と、ライン状バンク１０５の長軸とは、直交する。
【００８５】
このように画素電極の長軸がライン状のバンクの長軸と直交する実施の形態６では、画素はディスプレイの上下方向に長くなり、ディスプレイの横方向に短くなる。このため、ディスプレイの横方向に配置される画素の数が増え、ディスプレイの横方向の解像度が上昇する。
【産業上の利用可能性】
【００８６】
本発明によれば、製造プロセスが簡便で開口率が高い３Ｄ表示用有機ＥＬディスプレイを提供することができる。
【符号の説明】
【００８７】
１００、６００  ３Ｄ表示用有機ＥＬディスプレイ
１０１、５０１  基板
１０３、２０３、３０３、４０３、５０３、６０３  画素電極
１０５  バンク
１０７  有機機能層
１０９  対向電極
１１０  レンチキュラレンズ
１１１  シリンドリカルレンズ
１２０、２２０、３２０、４２０、５２０、６２０  副画素
５０２  凹曲部
【図１】
2011103216.tif 000003
【図２】
2011103216.tif 000004
【図３】
2011103216.tif 000005
【図４】
2011103216.tif 000006
【図５】
2011103216.tif 000007
【図６】
2011103216.tif 000008
【図７】
2011103216.tif 000009
【図８】
2011103216.tif 000010
【図９】
2011103216.tif 000011
【図１０】
2011103216.tif 000012
【図１１】
2011103216.tif 000013